(57)【要約】【課題】医療用腕カバーを使用することによって、施術時における体液汚染及び生物学的細菌汚染を防ぎ、さらに手術着の着用時間の短縮と、クリーニング及び滅菌処理に係るコスト削減並びに医療廃棄物の軽減を目的とする医療用腕カバーの提供を図る。【解決手段】筒状に縫い合わされた布の両端に弾性帯を縫い込んだ袖口を設け、さらに前記筒状の布の表面にコーテェング膜加工及び滅菌処理加工を施した構造となっている。また、前記袖口の少なくとも一方に、係止手段により開閉可能な開口部を設けた構造を採用し得る。【選択図】図１
0003137098.tif 000002
【実用新案登録請求の範囲】
【請求項１】
筒状に縫い合わされた布の両端に弾性帯を縫い込んだ袖口を設け、さらに前記筒状の布の表面にコーテェング膜加工及び滅菌処理を施したことを特徴とする医療用腕カバー。
【請求項２】
前記袖口の少なくとも一方に、係止手段により開閉可能な開口部を設けたことを特徴とする請求項１に記載の医療用腕カバー。
【考案の詳細な説明】
【技術分野】
【０００１】
本考案は、施術時に手術着及び手術用手袋と共に使用される腕カバーであって、施術時における体液汚染及び生物学的細菌汚染を防ぎ、さらに手術着の着用時間の短縮と、クリーニング及び滅菌処理に係るコスト削減並びに医療廃棄物の軽減を図る医療用腕カバーに関するものである。
【背景技術】
【０００２】
従来の手術時における体液汚染及び生物学的細菌汚染を防ぐ方法としては、両手袖口が絞られたエプロン状の手術着を着用するとともに、該袖口を覆うように手術用手袋を嵌めることによって、施術者の肌が露出しないような方法が採られていた。しかしながら、該方法によると、時に施術中に手術用手袋が捲くれ上がったり、滑り落ちたりして感染バリア特性を失う危険性があるという欠点があった。
【０００３】
上記問題を解決する手段として、手術着の両手袖口に低粘着表面変成剤で形成されるバンドを設けることによってチャネリング現象を解決しようとする「手袋保持機構付防護衣類」（特許文献１）が提案されている。しかしながら、該提案は、手術着の両手袖口にバンドが設けられているため、手術着の着用時間を多く必要とし、さらにコスト面において一般的な手術着と比較して割高であり、また施術者が単独での着用が難しいという問題点が残されていた。
【０００４】
また、集水層、隔離層、拡散層から構成される多層構造によって血液感染を防止する「外科医手術着とシーツ及び隔離用布の構造」（特許文献２）が提案されている。該提案では、大量の血液拡散・付着が想定される外科医手術着及びシーツに関するものであり、また隔離用の布と手術着の装着手段が述べられていない点から、縫合される縫い目から体液及び生物学的細菌の侵入の可能性が危惧されるものであり、安全性に問題を残すものであった。
【０００５】
一方、小さな外科手術や小動物の手術時においては、血液の飛散・付着程度が手術着や医療用白衣の両手袖口に留まる手術例も多くあり、手術着・医療用白衣のクリーニング及び滅菌処理に係るコスト面から不経済性が指摘されるものであった。
【０００６】
さらに、手術着の着用時間の短縮するべく「滅菌手術着」（特許文献３）が提案されている。しかしながら、該提案は、手術着の袖口の開放がされておらず、若干の手術着の着用時間が短縮されるものの前述の多くの問題点を有効に解決するものではなかった。
【特許文献１】特開２００５−５０７４６７号公報
【特許文献２】登録実用新案第３０７９７５５号公報
【特許文献３】登録実用新案第３１１６２１２号公報
【考案の開示】
【考案が解決しようとする課題】
【０００７】
本考案は、上記問題点に鑑み、本考案の医療用腕カバーを使用することによって、施術時における体液汚染及び生物学的細菌汚染を防ぎ、さらに手術着の着用時間の短縮と、クリーニング及び滅菌処理に係るコスト削減並びに医療廃棄物の軽減を図ることができる医療用腕カバーを提供することを目的とするものである。
【課題を解決するための手段】
【０００８】
前記目的を達成するため、本考案は、筒状に縫い合わされた布の両端に弾性帯を縫い込んだ袖口を設け、さらに前記筒状に縫い合わされた布の表面にコーテェング膜加工及び滅菌処理加工を施す構成を採っている。
【０００９】
また、本考案は、前記袖口の少なくとも一方に、係止手段により開閉可能な開口部を設けた構成を採用することもできる。
【考案の効果】
【００１０】
本考案にかかる医療用腕カバーを使用すれば、手術着が半袖の場合に、肌の露出を減少し、施術時における体液汚染及び生物学的細菌汚染を簡易かつ有効に防ぐことができるとともに、手術着が長袖の場合には、体液汚染等に併せて該手術着の滅菌状態を維持したままの施術が可能であって、連続して施術が行われる場合に該手術着を併用することで着用時間の短縮を図ることができる。
【００１１】
また、本考案にかかる医療用腕カバーによれば、従来の手術着と比較して着脱可能な簡易型手術着として使用することができるため、クリーニング及び滅菌処理に係るコスト削減並びに医療廃棄物の軽減を図ることができる。
【００１２】
さらに、本考案にかかる医療用腕カバーによれば、筒状に縫い合わされた布の両端に弾性帯を縫い込んだ一方の袖口をベルクロファスナーバンドまたはホック付きバンドで開放できるようにすることで、清潔状態を維持した状態で任意に取り外しができるため、通常の医療事務作業と医療行為を同時に遂行することができる。
【考案を実施するための最良の形態】
【００１３】
本考案にかかる医療用腕カバーは、筒状に縫い合わされた布の両端に弾性帯を縫い込んだ袖口を設け、さらに前記筒状の布の表面にコーテェング膜加工及び滅菌処理加工を施したことを最大の特徴とする。以下、本考案にかかる医療用腕カバーの実施形態を、図面に基づいて説明する。
【００１４】
図１は、本考案にかかる医療用腕カバー１を示す全体斜視図である。該医療用腕カバー１は、筒状に縫い合わされた布２の両端にゴム等の弾性帯４を縫い込んだ袖口３を設けてなる。そして、さらに布２の表面には、コーテェング膜加工及び滅菌処理加工が施されている。
【００１５】
筒状に縫い合わされた布２は、体液汚染及び生物学的細菌汚染を防ぐという観点から一枚物で織り上られたものが好ましい。また、該布２の材質は、布地の外に、熱水可溶性のポリビニルアルコール系不織布を使用することより、環境問題を考慮した使い捨ての医療用腕カバーとすることもできる。さらに、伸縮性のある素材により構成することも好ましく、かかる構成により手術作業における手・腕の自在性を確保することに有効である。そしてまた、縫製加工後に布の表面にコーテェング膜加工及び滅菌処理加工を施すことによって、布地の縫い目５から浸透する血液感染を防止するものであり、集水層、隔離層、拡散層から構成される高価な多層構造の手術着を採用する必要もない構成を採っている。
【００１６】
袖口３は、筒状に縫い合わされた布（不織布を含む）２の両端にゴム等からなる弾性帯４を縫い込み、その弾性力により絞り込んでいるものである。袖口３が絞り込まれ、さらに手術用手袋８と腕７あるいは手術着６とを掛け渡して施術者の手首から肘の間に着用されることで、血液の飛散・付着による体液汚染及び生物学的細菌汚染を防止することが可能となる。
【００１７】
図２は、本考案にかかる医療用腕カバー１の使用状態を示す説明図である。手術用手袋８と肘との間に医療用腕カバー１を着用することで、手先から肘付近にかけて外部よりの略密封された隔離空間を作り出す。なお、図面では手術着６が半袖の場合について示している。手術着６が長袖の場合には、手術用手袋８と手術着６との間に医療用腕カバー１を着用することとなる。このとき、該手術着６の袖口が医療用腕カバー１内に収容された状態で着用される。このように本考案にかかる医療用腕カバー１を着用することで、施術時における体液汚染及び生物学的感染を防ぐと同時に、連続する施術において医療用腕カバー１を交換するだけで手術着６を併用して手術着６の着用時間を短縮し、さらには、クリーニング及び滅菌処理に係るコスト削減を図ることが可能となる。
【００１８】
図３は、本考案にかかる医療用腕カバー１の着用手順の一例を示す説明図である。なお、図面及び以下の着用手順においては、手術着６が半袖の場合について示している
（ａ）手術着６を着用する。
なお、比較的小さな手術に関しては、手術着６でなく従来の医療用白衣を着た状態であっても、手術用手袋８と医療用腕カバー１を着用すれば手術が可能となる。
（ｂ）医療用腕カバー１を施術者の腕７に着用する。
（ｃ）医療用腕カバー１の手首に近い方の袖口３を捲くり上げる。
（ｄ）手術用手袋８をはめる。
（ｅ）医療用腕カバー１の手首に近い方の袖口３を捲くり下ろす。
【００１９】
手術着６が長袖の場合は、以下の通りとなる
（ａ）手術着６を着用する。
このとき、該手術着６の形態について、袖口３が絞られた手術着６であると袖口３が開放された手術着６であるとを問わない。また、上記同様、比較的小さな手術に関しては、手術着６でなく従来の医療用白衣を着た状態であっても、本医療用腕カバー１を着用すれば手術ができるものである。
（ｂ）医療用腕カバー１を手術着６の上から着用する。
（ｃ）医療用腕カバー１の手首に近い方の袖口３を捲くり上げる。
（ｄ）手術用手袋８をはめる。
（ｅ）医療用腕カバー１の手首に近い方の袖口３を捲くり下ろす。
【００２０】
このように、手術時の血液の飛散や付着に対して医療用腕カバー１を手術用手袋８と腕７あるいは手術着６を掛け渡して着用することによって、施術者の肌の露出を減少あるいは完全に遮断するものである。したがって、特に半袖の手術着６による手術においては、腕先７の露出肌を遮断して、血液の飛散・付着による体液汚染及び生物学的細菌汚染を有効に防止することができる。
また、通常の医療業務は、医療事務作業と医療行為を同時に遂行しており、その業務上着用される医療用白衣の袖口の汚れ対策としても使用できるものである。
【００２１】
なお、上記着用手順については、該手順に限定されるものではない。例えば、一人で本考案にかかる医療用腕カバー１を着用する場合には、白衣を着用した状態あるいは手術着６を着用した後に、まず手術用手袋８を着用し、その後に医療用腕カバー１を装着してもよい。逆に、助手がいる場合には、本医療用腕カバー１の装着後に手術用手袋８を装着する手順であってもよい。
【００２２】
図４は、本考案にかかる医療用腕カバー１における他の実施形態を示す全体斜視図である。該医療用腕カバー１は、筒状に縫い合わされた布２の両端に弾性帯４を縫い込んだ一方の袖口３に係止手段９を備え、該係止手段９により開閉可能な開口部１０が設けられている。
【００２３】
かかる構成によれば、係止手段９を開放することで袖口３の締め付け状態を任意に開放することが可能であり、清潔状態を維持した状態で取り外しができることとなり、通常の医療事務作業と医療行為を同時に遂行することも可能ならしめるものである。
【００２４】
なお、係止手段９の構造については、特に限定するものではなく、例えばベルクロファスナーや雄雌ボタン、引掛けホック等を使った構造が考え得る。
【産業上の利用可能性】
【００２５】
本考案によれば、手術用の腕カバーのみならず、一般病院、動物病院、研究所、検査機関、自衛隊野戦病院、軍隊野戦病院、災害地等の野外診療処置、給食、食品、染料、塗料、薬品、精密部品組立工場、油脂関連の製造業種並びに現場においてバリア特性を活かした業務用腕カバーとしての利用範囲は広く、本考案にかかる手術用腕カバーの産業上の利用可能性は極めて高いものと解される。
【図面の簡単な説明】
【００２６】
【図１】本考案にかかる医療用腕カバーを示す全体斜視図である。
【図２】本考案にかかる医療用腕カバーの使用状態を示す説明図である。
【図３】本考案にかかる医療用腕カバーの着用手順を示す説明図である。
【図４】本考案にかかる医療用腕カバーの別の実施形態を示す全体斜視図である。
【符号の説明】
【００２７】
１    医療用腕カバー
２    布
３    袖口
４    弾性帯
５    縫い目
６    手術着
７    腕
８    手術用手袋
９    係止手段
１０    開口部
【図１】
0003137098.tif 000003
【図２】
0003137098.tif 000004
【図３】
0003137098.tif 000005
【図４】
0003137098.tif 000006